(57)【要約】【課題】  回転軸と、回転軸により駆動される圧縮機構と、回転軸と圧縮機構とを収容するハウジングと、回転軸のハウジング貫通部を密封する軸封装置とを備える冷媒圧縮用の圧縮機であって、ハウジング内圧が高い場合の軸封装置から外部環境への冷媒ガス漏洩防止策が施された圧縮機を提供する。【解決手段】  回転軸と、回転軸により駆動される圧縮機構と、回転軸と圧縮機構とを収容するハウジングと、回転軸のハウジング貫通部を密封する軸封装置とを備える冷媒圧縮用の圧縮機であって、軸封装置の大気側に配設された冷媒吸着剤を備える【選択図】  図２
2006046268.tif 000002
【特許請求の範囲】
【請求項１】
回転軸と、回転軸により駆動される圧縮機構と、回転軸と圧縮機構とを収容するハウジングと、回転軸のハウジング貫通部を密封する軸封装置とを備える冷媒圧縮用の圧縮機であって、軸封装置の大気側に配設された冷媒吸着剤を備えることを特徴とする圧縮機。
【請求項２】
冷媒吸着剤は回転軸を取り巻いて配設されていることを特徴とする請求項１に記載の圧縮機。
【請求項３】
冷媒吸着剤は活性炭であることを特徴とする請求項１又は２に記載の圧縮機。
【請求項４】
冷媒吸着剤はゼオライトであることを特徴とする請求項１又は２に記載の圧縮機。
【発明の詳細な説明】
【技術分野】
【０００１】
本発明は、回転軸と、回転軸により駆動される圧縮機構と、回転軸と圧縮機構とを収容するハウジングと、回転軸のハウジング貫通部を密封する軸封装置とを備える冷媒圧縮用の圧縮機に関するものである。
【背景技術】
【０００２】
回転軸と、回転軸により駆動される圧縮機構と、回転軸と圧縮機構とを収容するハウジングと、回転軸のハウジング貫通部を密封する軸封装置とを備える冷媒圧縮用の圧縮機であって、ハウジングは互いに接合された複数の部分ハウジングにより構成され、部分ハウジングの接合部にシール部材が配設され、前記接合部の外面に樹脂が塗布された圧縮機が特許文献１に開示されている。
【特許文献１】特開２００１−３４９４３２
【発明の開示】
【発明が解決しようとする課題】
【０００３】
特許文献１の圧縮機は、ハウジング内圧が高い場合の部分ハウジング接合部からの冷媒ガスの隙間漏れ、部分ハウジング接合部のシール部材からの冷媒ガスの透過漏れ等に起因する冷媒ガスの外部環境への漏洩を効果的に防止するものであるが、ハウジング内圧が高い場合の回転軸のハウジング貫通部を密封する軸封装置から外部環境への冷媒ガスの漏洩を効果的に防止するものではない。
【０００４】
本発明は上記問題に鑑みてなされたものであり、回転軸と、回転軸により駆動される圧縮機構と、回転軸と圧縮機構とを収容するハウジングと、回転軸のハウジング貫通部を密封する軸封装置とを備える冷媒圧縮用の圧縮機であって、ハウジング内圧が高い場合の軸封装置から外部環境への冷媒ガス漏洩防止策が施された圧縮機を提供することを目的とする。
【課題を解決するための手段】
【０００５】
上記課題を解決するために、本発明においては、回転軸と、回転軸により駆動される圧縮機構と、回転軸と圧縮機構とを収容するハウジングと、回転軸のハウジング貫通部を密封する軸封装置とを備える冷媒圧縮用の圧縮機であって、軸封装置の大気側に配設された冷媒吸着剤を備えることを特徴とする圧縮機を提供する。
本発明に係る圧縮機においては、軸封装置からハウジング外へ漏洩した冷媒ガスは、軸封装置の大気側に配設された冷媒吸着剤に吸着される。この結果、ハウジング内圧が高い場合の軸封装置から外部環境への冷媒の漏洩が効果的に防止される。
【０００６】
本発明の好ましい態様においては、冷媒吸着剤は回転軸を取り巻いて配設されている。
回転軸を取り巻いて冷媒吸着剤が配設されることにより、回転軸を取り巻いて配設される軸封装置から漏洩した冷媒ガスは、漏れなく冷媒吸着剤に吸着される。
【０００７】
本発明の好ましい態様においては、冷媒吸着剤は活性炭である。
本発明の好ましい態様においては、冷媒吸着剤はゼオライトである。
活性炭、ゼオライトは、入手と取扱が容易であり、好適な冷媒吸着剤である。
【発明の効果】
【０００８】
本発明に係る圧縮機においては、軸封装置からハウジング外へ漏洩した冷媒ガスは、軸封装置の大気側に配設された冷媒吸着剤に吸着される。この結果、ハウジング内圧が高い場合の、軸封装置から外部環境への冷媒の漏洩が効果的に防止される。
【発明を実施するための最良の形態】
【０００９】
本発明の実施例に係る圧縮機を説明する。
【実施例１】
【００１０】
図１に示すように、可変容量型斜板式圧縮機Ａは、回転軸１０と、回転軸１０に固定されたローター１１と、傾角可変に回転軸１０に支持された斜板１２とを備えている。斜板１２は、斜板１２の傾角変動を許容するリンク機構１３を介してローター１１に連結され、ローター１１ひいては回転軸１０に同期して回転する。
斜板１２の周縁部に摺接する一対のシュー１４を介してピストン１５が斜板１２に係留されている。
ピストン１５は、シリンダブロック１６に形成されたボア１６ａに挿入されている。
回転軸１０、ローター１１、斜板１２を収容するクランク室１７を形成する有底円筒状のフロントハウジング１８が配設されている。回転軸１０は、フロントハウジング１８を貫通して外部へ延びている。
【００１１】
回転軸１０のフロントハウジング貫通部を密封する軸封装置１９が配設されている。図２に示すように、軸封装置１９は、回転軸１０の周側面に摺接するリップシール部材１９ａ、１９ｂにより構成されている。リップシール部材１９ａ、１９ｂは保持金具１９ｃ、１９ｄにより保持されている。クランク室１７寄りに配設されたリップシール部材１９ａはゴム成形体であり、保持金具１９ｃ、１９ｄにより保持された固定部１９ａ′と回転軸１０の周側面に摺接する可動部１９ａ″とを有している。回転軸１０の端部寄りに配設されたリップシール部材１９ｂは樹脂製であり、保持金具１９ｃ、１９ｄにより保持された固定部１９ｂ′と回転軸１０の周側面に摺接する可動部１９ｂ″とを有している。リップシール部材１９ａ、１９ｂの可動部部１９ａ″、部１９ｂ″は、回転軸１０のフロントハウジング貫通部へ組付けられる前は、図２に二点鎖線で示すように径方向内方へ延在しているが、組み付け後は、回転軸１０の周側面に押し付けられて前記周側面に摺接し、回転軸１０のフロントハウジング貫通部をシールする。
【００１２】
リップシール部材１９ｂよりも更に回転軸１０の端部寄りに、ひいては軸封装置１９の大気側に、活性炭、ゼオライト等から成る円環状の冷媒吸着剤２０が配設されている。冷媒吸着剤２０は、回転軸１０を取り巻いており、外周部を保持金具１９ｃ、１９ｄに挟持された状態で、保持金具１９ｃ、１９ｄにより保持されている。図３に示すように、冷媒吸着剤２０は、半円環状の一対の半部分２０ａが、端部を互いに当接させた状態で、保持金具１９ｃ、１９ｄに挟持されることにより、円環を形成している。
【００１３】
回転軸１０はフロントハウジング１８、シリンダブロック１６により回転可能に支持されている。
フロントハウジング１８に取り付けられた電磁クラッチ２１を介して図示しない外部駆動源から回転軸１０の先端部に回転動力が伝達される。
吸入室と吐出室とを形成するシリンダヘッド２２が配設されている。
シリンダブロック１６とシリンダヘッド２２との間にボア１６ａに連通する吸入口と吐出口とが形成された弁板２３配設されている。弁板２３に吸入弁と吐出弁とが装着されている。
【００１４】
ローター１１、斜板１２、リンク機構１３、シュー１４、ピストン１５、シリンダボア１６ａ等により圧縮機構が形成されている。
フロントハウジング１８、シリンダブロック１６、シリンダヘッド２２は、上記圧縮機構を収容するハウジングを形成している。
フロントハウジング１８、シリンダブロック１６、弁板２３、シリンダヘッド２２は、ボルト２４より一体に接合されている。
フロントハウジング１８とシリンダブロック１６との接合部、弁板２３とシリンダブロック１６との接合部、弁板２３とシリンダヘッド２２との接合部に、当該接合部をシールするガスケット２５、２６、２７が配設されている。
【００１５】
可変容量型斜板式圧縮機Ａにおいては、図示しない外部駆動源の回転動力が電磁クラッチ２０を介して回転軸１０に伝達され、回転軸１０の回転がローター１１、リンク機構１３を介して斜板１２に伝達される。斜板１２の回転に伴う斜板１２周縁部の回転軸１０延在方向の往復動が、シュー１４を介してピストン１５に伝達され、ピストン１５がボア１６ａ内で往復動する。外部冷凍回路から還流した冷媒が、シリンダヘッド２２に形成された吸入ポートと吸入室と吸入口と吸入弁とを介してボア１６ａへ吸入され、ボア１６ａ内で圧縮され、吐出口と吐出弁と吐出室とシリンダヘッド２２に形成された吐出ポートとを介して外部冷凍回路へ流出する。
【００１６】
ハウジング内冷媒ガスのハウジングからの漏洩は、軸封装置１９、ガスケット２４〜２６により防止される。しかしハウジング内の冷媒ガス圧が高い場合には、軸封装置１９のリップシール部材１９ａ、１９ｂと回転軸１０との間の微小隙間を介して、或いはリップシール部材１９ａ、１９ｂを透過して、冷媒ガスが回転軸１０の端部側へ、すなわち大気側へ漏洩する。軸封装置１９から大気側へ漏洩した冷媒ガスは、軸封装置１０の大気側に配設された、活性炭、ゼオライトなどから成る冷媒吸着剤２０に吸着される。従って、ハウジング内の冷媒ガス圧が高い場合でも、冷媒ガスは軸封装置１９を介して外部環境中に漏洩しない。
回転軸１０を取り巻いて冷媒吸着剤２０が配設されているので、回転軸１０を取り巻いて配設された軸封装置１９から漏洩した冷媒ガスは、漏れなく冷媒吸着剤２０に吸着される。
活性炭、ゼオライトは入手と取扱が容易であり、好適な冷媒吸着剤である。
冷媒吸着剤２０は、冷媒吸着剤を環状に成形したものでも良く、或いは溝型断面の環状容器に冷媒吸着剤を充填したものでも良い。
【産業上の利用可能性】
【００１７】
本発明は斜板式圧縮機のみならず、軸封装置を備える冷媒圧縮用の圧縮機に広く利用可能である。
【図面の簡単な説明】
【００１８】
【図１】本発明の実施例に係る可変容量型斜板式圧縮機の断面図である。
【図２】本発明の実施例に係る可変容量型斜板式圧縮機が備える軸封装置の拡大断面図である。
【図３】本発明の実施例に係る可変容量型斜板式圧縮機が備える冷媒吸着剤の斜視図である。
【符号の説明】
【００１９】
Ａ  可変容量型斜板式圧縮機
１０  回転軸
１１  ローター
１２  斜板
１３  リンク機構
１４  シュー
１５  ピストン
１８  フロントハウジング
１９  軸封装置
２０  冷媒吸着剤
２２  シリンダヘッド
２５、２６、２７  ガスケット
【図１】
2006046268.tif 000003
【図２】
2006046268.tif 000004
【図３】
2006046268.tif 000005